(57)【要約】【課題】ラベル付き袋体のプリンター走行性を改善する。【解決手段】一枚の表側シート１０と裏側シート２０とが下縁および両側縁とで綴じ合わされた袋体１であって、前記表側シートの表出面１０Ｆに情報印字部を有し、かつ、表側シートの上縁が裏側シートの上縁よりも上方に延出している延出部の一部がラベル部とされているラベル付き袋体により解決される。【選択図】図１
2006248602.tif 000002
【特許請求の範囲】
【請求項１】
一枚の表側シートと裏側シートの三方縁部が綴じ合わされた構造を有する袋体であって、
前記表側シートの表出面に情報印字部を有し、
かつ、表側シートの上縁が裏側シートの上縁よりも上方に延出され、この延出部の裏側シート側面の一部または全部に粘着剤が塗布され、少なくともこの粘着剤塗布部分を被覆するとともに前記延出部内に収まる範囲で剥離紙が積層配置され、さらに、前記延出部の粘着剤塗布部の一部分が、前記剥離紙から剥離したときに前記延出部からも分離可能なラベル部とされていることを特徴とするラベル付き袋体。
【請求項２】
ラベル部は、前記延出部の粘着剤塗布部の一部を完全あるいは一部連結したくりぬき加工して形成されている請求項１記載のラベル付き袋体。
【請求項３】
前記剥離紙が、実質的に前記延出部の全部を被覆するように積層配置されている請求項１または２に記載のラベル付き袋体。
【請求項４】
前記延出部を除く袋部に、収容物を取り出すための裂開用ミシン目が形成されている請求項１〜３の何れか１項に記載のラベル付き袋体。
【請求項５】
前記延出部の少なくともラベル部を含む部分と袋部とを分離可能にする切り離し用ミシン目を備える請求項１〜４記載のラベル付き袋体。
【請求項６】
前記延出部に袋部の開口を封止するための封止用粘着剤塗布部とこれを被覆する剥離紙とを備える請求項１〜５の何れか１項に記載のラベル付き袋体。
【発明の詳細な説明】
【技術分野】
【０００１】
本発明は、検体、薬品、部品など各種物品を収容する袋体に関し、特にラベルシートが付設された袋体に関する。
【背景技術】
【０００２】
医療機関等で使用される、血液、尿、便などの検体を納めた検体容器を収容する袋体は、通常、表側シートと裏側シートとからなり、表側シートの表出面に患者名と収容した検体名などを記入する記入部を備える。
【０００３】
一方、袋体の印字部に記載された患者名等と納められた検体等の同一性を担保するために、検体容器には患者名などを記載したラベル等を貼り付けることがよく行われる。検体容器に貼り付けるためのラベルシートが袋体と別体であると、袋体およびラベルに別々に情報を記入しなければならず袋体の情報と検体との同一性が損なわれる可能性が高まる。
【０００４】
そこで、検体と袋体の印字部に記載された情報との同一性の担保をより確実にすべく袋体にラベルシートを添付して一体性を高め、患者名等の記入時に両者が別々にならないようにしたものが提案されている。薬品袋の例ではあるが、例えば、特開２００４−５９１０８に開示される。
【０００５】
他方、近年、検体等と袋体との患者名の同一性の担保に、バーコード等の目印を用いる方法等も採られるようになってきている。すなわち、袋体に患者名を印字するとともにバーコード等の目印を印刷し、さらにこのバーコードと同様のバーコードを設けたラベルを検体容器に貼り付ける。この場合、ラベルおよび袋体の記入部の情報記載は、医師、看護師などの手書きではなく、プリンターによる印刷によって行われる。
【特許文献１】特開２００４−５９１０８
【発明の開示】
【発明が解決しようとする課題】
【０００６】
しかし、上記特許文献１に代表される従来のラベルシート付き袋体は、表紙シートあるいは裏紙シートの全部が粘着加工されたタック紙で形成され、袋体の記入面（表出面）全部が剥離する可能性があるものであったり、袋体にタック紙を接着剤等で接続したもので、記入面に段差がありプリンター走行性が悪く、印字性に優れるものではなかった。
【０００７】
そこで、本発明の主たる課題は、袋体の記入部の剥離の可能性がなく、しかもプリンター走行性、印刷性に優れるラベルシート付き袋体を提供することにある。
【課題を解決するための手段】
【０００８】
上記課題を解決した本発明は次記のとおりである。
＜請求項１記載の発明＞
一枚の表側シートと裏側シートの三方縁部が綴じ合わされた構造を有する袋体であって、
前記表側シートの表出面に情報印字部を有し、
かつ、表側シートの上縁が裏側シートの上縁よりも上方に延出され、この延出部の裏側シート側面の一部または全部に粘着剤が塗布され、少なくともこの粘着剤塗布部分を被覆するとともに前記延出部内に収まる範囲で剥離紙が積層配置され、さらに、前記延出部の粘着剤塗布部の一部分が、前記剥離紙から剥離したときに前記延出部からも分離可能なラベル部とされていることを特徴とするラベル付き袋体。
【０００９】
＜請求項２記載の発明＞
ラベル部は、前記延出部の粘着剤塗布部の一部を完全あるいは一部連結したくりぬき加工して形成されている請求項１記載のラベル付き袋体。
【００１０】
＜請求項３記載の発明＞
前記剥離紙が、実質的に前記延出部の全部を被覆するように積層配置されている請求項１または２に記載のラベル付き袋体。
【００１１】
＜請求項４記載の発明＞
前記延出部を除く袋部に、収容物を取り出すための裂開用ミシン目が形成されている請求項１〜３の何れか１項に記載のラベル付き袋体。
【００１２】
＜請求項５記載の発明＞
前記延出部の少なくともラベル部を含む部分と袋部とを分離可能にする切り離し用ミシン目を備える請求項１〜４記載のラベル付き袋体。
【００１３】
＜請求項６記載の発明＞
前記延出部に袋部の開口を封止するための封止用粘着剤塗布部とこれを被覆する剥離紙とを備える請求項１〜５の何れか１項に記載のラベル付き袋体。
【発明の効果】
【００１４】
情報印字面が表側シート一枚であり、接合縁などがなく、段差がなく、プリンター走行性および印字品質の向上が図られる。また、延出部の必要な部分だけラベル加工をするため用紙のロスが低減され省資源でありコスト安に提供することができる。さらに、封止用粘着部の形成により収容物を容易に封かんできるようになる、開封用ミシン目の形成により容易に開封することができるようになる。
【発明を実施するための最良の形態】
【００１５】
次いで、本発明の商品陳列袋を図１〜３を参照しながら詳述する。
本発明のラベル付き袋体１は、一枚の表側シート１０と裏側シート２０とが下縁１Ｕおよび両側縁１Ｓとで綴じ合わされた袋体１である。
【００１６】
表側シート１０および裏側シート２０は、バージンパルプを原料とする上質紙、古紙パルプを原料とする再生紙、合成紙などが使用できる。適宜の撥水処理等を施してもよい。ただし、前記表側シート１０の表出面１０Ｆは、患者名などの情報を印字する必要があるため、表側シート１０の表出面１０Ｆは、プリンター等によって印字可能な状態を担保する必要がある。表側シートにインクジェット適性、レーザープリンター適性、熱転写印字適性等を有するシートを使用すればよい。もちろん、裏側シートについてもインクジェット適性、レーザープリンター適性、熱転写印字適性等を有するシートを使用することができ、このようにすれば裏面についても各種プリンターによる情報記録性が向上する。
【００１７】
一方、表側シート１０の上縁１０Ｔは、裏側シート２０の上縁２０Ｔよりも上方に延出されており、この延出部１１の裏側シート側面１１Ｂの一部または全部に粘着剤１２が塗布されている。この粘着剤１２は、従来既知のラベルに用いられる、一般強粘、最強粘等の粘着剤を用いることができるが、後に収容対象となる検体容器に貼り付けるためのラベル部１４の粘着剤１２を構成することになるので、収容対象である検体容器に対して粘着性を示す粘着剤である必要はある。検体容器の材質などによって適宜変更する。粘着剤１２の塗布は、従来既知の印刷機、あるいは塗工機によって塗布することができる。
【００１８】
他方、前記粘着剤塗布部分１２を被覆するようにして、剥離紙３０が積層配置されている。この剥離紙３０は、前記延出部１１内に収まる範囲で積層配置されている。すなわち、正面視においては剥離紙３０は延出部１１の裏側に隠れる。この剥離紙３０は、従来のラベルの粘着面を保護するための剥離紙を用いることができる。例えば、粘着剤塗布面と対向させる面をシリコン塗布処理等の離型処理した剥離紙等を利用する。
【００１９】
他方、本実施の形態に係るラベル付き袋体１は、前記延出部１１の粘着剤塗布部１２の一部分がくりぬき加工されており、前記剥離紙３０から剥離したときに前記袋体１からも分離可能とされており、当該一部分がラベル１４となるように形成されている。このラベル１４は、袋体１に納める検体容器に貼り付けて使用する。すなわち、このラベル１４と、前記延出部１１を除く袋部１５の表出面１０Ｆに患者名やバーコード等の目印などを印字・印刷して、ラベル１４を袋部との一体的にしておき、被検者の検体を採取した検体容器にラベルを貼り付けて使用する。
【００２０】
この本実施の形態にかかるラベル付き袋体は、特に図３に示されるように、表側シート１１が一枚で形成されているとともに、袋部１５の裏面側が裏側シートで構成され、延出部１１の裏面側に剥離紙３０が位置されるため、目印等が印字されるべきラベル部１４および袋部１５の表側シート１０の表出面１０Ｆが一体的で平坦である。従って、前記ラベル部１４および袋部１５の表出面にプリンター等で印字・印刷等するためにプリンターに送りこんだときに、プリンターの印字ヘッドと表側シート１１の表出面との距離が一定となりやすく、また、搬送ローラとの接触圧も一定となりやすく、搬送性および印字性に優れる。
【００２１】
他方、本実施の形態にかかるラベル付き袋体１は、前記延出部１１を除く袋部１５に、収容物を取り出すための裂開用ミシン目２１が形成されており、袋部１５の開口を粘着テープあるいは糊などによって封止したのちに、再度、検体を取り出すさいの開封が容易とされている。
【００２２】
また、前記延出部１１の少なくともラベル部１４を含む部分と袋部１５とを分離可能にする切り離し用ミシン目１８を備えており、ラベル部１４を剥離して使用したのち、不要となった延出部１１を袋部１５から切り離して廃棄することが可能とされている。
【００２３】
なお、袋体の開口１Ｍは折り返しによって封止することができるが、前記延出部に袋部の開口を封止するための封止用粘着剤塗布部を塗布しておき、ラベル剥離後に延出部を裏側シートに折り重ねることによって封止可能とした形態をとることもできる。また、上記実施の形態では、延出部の一部に粘着剤が塗布された形態であるが、延出部の全部に粘着剤を塗布してもよい。
【００２４】
さらに、上記実施の形態では前記剥離紙が、延出部の面積よりも小さく、延出部の一部を被覆する形態であるが延出部の全部を被覆する形態とすることができる。この場合、より表側シートの表出面（情報記載面）のフラット性が高まりプリンター搬送性および印字性が高まる。
【００２５】
以上、詳述のとおり、本発明のラベル付き袋体は、情報記入部面側に段差がなく、プリンター走行性に優れ、印字性に優れる。さらに、袋体の記入部面が剥離することもない。
【産業上の利用可能性】
【００２６】
本発明は、血液、尿、便などの検体を収容する袋のほか、薬品等を収容する袋体にも利用できる。
【図面の簡単な説明】
【００２７】
【図１】本発明のラベル付き袋体の正面図である。
【図２】その裏面図である。
【図３】縦断面図である。
【符号の説明】
【００２８】
１…ラベル付き袋体、１０…表側シート、１１…延出部、１２…粘着剤（粘着剤塗布部）、１４…ラベル（ラベル部）、１５…袋部、１８…切り離し用ミシン目、３０…剥離紙。
【図１】
2006248602.tif 000003
【図２】
2006248602.tif 000004
【図３】
2006248602.tif 000005